(57)【特許請求の範囲】
【請求項１】
移動端末装置からのサウンディング参照信号を受信する受信器と、前記サウンディング参照信号を用いてリレーリンクのチャネル品質を測定するチャネル品質測定部と、前記リレーリンクのチャネル品質の測定結果を含むフィードバック情報を、バックホールリンクを介して無線基地局装置に送信する送信器と、を具備し、
前記無線基地局装置において前記リレーリンクのチャネル品質の測定結果から補正値が減算され、減算の結果及びダイレクトリンクのチャネル品質の測定結果に基づいて割り当てられた無線リソースで、前記移動端末装置と通信することを特徴とする無線中継局装置。
【請求項２】
前記フィードバック情報は、リレーリンクのプリコーディングマトリクスインジケータを含むことを特徴とする請求項１記載の無線中継局装置。
【請求項３】
前記フィードバック情報は、リレータイプの情報を含むことを特徴とする請求項１又は請求項２記載の無線中継局装置。
【請求項４】
移動端末装置からのサウンディング参照信号を受信すると共に、無線中継局装置からの、リレーリンクのチャネル品質の測定結果を含むフィードバック情報を受信する受信器と、前記サウンディング参照信号を用いてダイレクトリンクのチャネル品質を測定するチャネル品質測定部と、前記測定結果から補正値Ｘを減算する減算器と、前記減算の結果及び前記ダイレクトリンクのチャネル品質の測定結果からいずれかの移動端末装置に無線リソースを割り当てる割り当て部と、を具備することを特徴とする無線基地局装置。
【請求項５】
前記割り当て部は、前記減算の結果及び前記ダイレクトリンクのチャネル品質の測定結果のうち最もチャネル品質の高い移動端末装置に無線リソースを割り当てることを特徴とする請求項４記載の無線基地局装置。
【請求項６】
前記補正値Ｘは、アクセスリンクのチャネル品質測定結果、バックホールリンクのチャネル品質測定結果、又はリレータイプのいずれかのパラメータを用いた移動端末装置毎に個別の値であることを特徴とする請求項４又は請求項５記載の無線基地局装置。
【請求項７】
前記補正値Ｘは、下記式（１）により求められることを特徴とする請求項４又は請求項５記載の無線基地局装置。
式（１）
0005462144.tif 000004
ＣＱＩＲＮ１は、移動端末装置−リレーノード間のＳＩＮＲ（ｄＢ）であり、ＣＱＩＢａｃｋ１は、リレーノード−無線基地局装置間のＳＩＮＲ（ｄＢ）である。
【請求項８】
無線リソースが割り当てられた移動端末装置に応じて変調符号化方式を決定することを特徴とする請求項４から請求項７のいずれかに記載の無線基地局装置。
【請求項９】
移動端末装置がＭＩＭＯのプリコーディング機能を備えている場合において、無線リソースが割り当てられた移動端末装置に応じてプリコーディングマトリクスインジケータを決定することを特徴とする請求項４から請求項８のいずれかに記載の無線基地局装置。
【請求項１０】
無線中継局装置において、移動端末装置からのサウンディング参照信号を用いてリレーリンクのチャネル品質を測定する工程と、前記リレーリンクのチャネル品質の測定結果を含むフィードバック情報を、バックホールリンクを介して無線基地局装置に送信する工程と、
前記無線基地局装置において、移動端末装置からのサウンディング参照信号を用いてダイレクトリンクのチャネル品質を測定する工程と、前記無線中継局装置からの前記測定結果から補正値Ｘを減算する工程と、前記減算の結果及び前記ダイレクトリンクのチャネル品質の測定結果からいずれかの移動端末装置に無線リソースを割り当てる工程と、
を具備することを特徴とする無線通信方法。
【請求項１１】
前記フィードバック情報が、リレーリンクのプリコーディングマトリクスインジケータを含むことを特徴とする請求項１０記載の無線通信方法。
【請求項１２】
前記フィードバック情報が、リレータイプの情報を含むことを特徴とする請求項１０又は請求項１１記載の無線通信方法。
【請求項１３】
前記減算の結果及び前記ダイレクトリンクのチャネル品質の測定結果のうち最もチャネル品質の高い移動端末装置に無線リソースを割り当てることを特徴とする請求項１０から請求項１２のいずれかに記載の無線通信方法。
【請求項１４】
前記補正値Ｘは、アクセスリンクのチャネル品質測定結果、バックホールリンクのチャネル品質測定結果、又はリレータイプのいずれかのパラメータを用いた移動端末装置毎に個別の値であることを特徴とする請求項１０から請求項１３のいずれかに記載の無線通信方法。
【請求項１５】
前記補正値Ｘは、下記式（１）により求められることを特徴とする請求項１０から請求項１３のいずれかに記載の無線通信方法。
式（１）
0005462144.tif 000005
ＣＱＩＲＮ１は、移動端末装置−リレーノード間のＳＩＮＲ（ｄＢ）であり、ＣＱＩＢａｃｋ１は、リレーノード−無線基地局装置間のＳＩＮＲ（ｄＢ）である。
【請求項１６】
無線リソースが割り当てられた移動端末装置に応じて変調符号化方式を決定することを特徴とする請求項１０から請求項１５のいずれかに記載の無線通信方法。
【請求項１７】
移動端末装置がＭＩＭＯのプリコーディング機能を備えている場合において、無線リソースが割り当てられた移動端末装置に応じてプリコーディングマトリクスインジケータを決定することを特徴とする請求項１０から請求項１６のいずれかに記載の無線通信方法。
【発明の詳細な説明】
【技術分野】
【０００１】
本発明は、リレー伝送するための無線中継局装置、無線基地局装置及び無線通信方法に関する。
【背景技術】
【０００２】
３ＧＰＰ（3rd  Generation    Partnership  Project）において、第３世代移動通信システムの発展規格であるＬＴＥ（Long  Term  Evolution）からのさらなる高速・大容量通信を実現する第４世代移動通信システムとして、ＬＴＥ−Advanced（ＬＴＥ−Ａ）の標準化が進められている。ＬＴＥ−Ａは、高速・大容量通信の実現に加え、セル端ユーザのスループット向上を重要課題としており、その一手段として、無線基地局装置〜移動端末装置間の無線伝送を中継するリレー技術が検討されている。リレーを用いることで、有線バックホールリンクの確保が困難な場所などで、効率的にカバレッジを拡大できることが期待される。
【０００３】
リレー技術においては、タイプＩリレー（Ｌ３リレー）と、タイプIIリレー（Advanced−Ｌ１リレー、Advanced−Ｌ２リレー）がある。タイプＩリレーは、無線中継局装置（リレーノード：ＲＮ）のセルが独自のセルＩＤを有し、自セル用の共通／共有の制御信号を送信するタイプの中継技術である。したがって、リレーノードは、移動端末装置（ユーザ端末：ＵＥ）に対して無線基地局装置のような機能を果たす。また、リレーノードは、固有のスケジューラを備えている。したがって、タイプＩリレーは、無線基地局装置（Donor  eNode  B：ＤｅＮＢ）〜リレーノードＲＮ間の無線バックホールリンクを介してカバレッジの拡大に寄与する。このタイプＩリレーは、ＬＴＥ  Release-10で標準化されている（非特許文献１、２）。
【０００４】
一方、タイプIIリレーは、リレーノードのセルが独自のセルＩＤを有さず、セル固有の参照信号や制御信号を送信しないタイプの中継技術である。タイプIIリレーにおいては、ＤｅＮＢが自装置のリソースを割り当てると共に、リレーノードのリソースを割り当てる（スケジューリングする）。したがって、タイプIIリレーは、ユーザスループットを向上させてキャパシティの増大に寄与する。このタイプIIリレーは、Release-11  ＬＴＥ以降で標準化される予定である。なお、Ｌ１リレーは、ブースター、若しくはリピータとも呼ばれる中継技術であり、無線基地局装置ＤｅＮＢからの下り受信ＲＦ信号を電力増幅して移動端末ＵＥに送信するＡＦ（Amplifier  and  Forward）型中継技術である。また、Ｌ２リレーは、無線基地局装置ＤｅＮＢからの下り受信ＲＦ信号を復調・復号後、再度符号化・変調を行い、移動端末ＵＥに送信するＤＦ（Decode  and  Forward）型中継技術である。
【先行技術文献】
【非特許文献】
【０００５】
【非特許文献１】３ＧＰＰ，ＴＳ３６．２１６（Ｖ１０．０．０）
【非特許文献２】３ＧＰＰ，ＴＲ３６．８０６（Ｖ９．０．０）
【発明の概要】
【発明が解決しようとする課題】
【０００６】
タイプIIリレーは、無線基地局装置ＤｅＮＢとリレーノードＲＮとの間で同じ周波数を使用するので、タイプＩリレーに比べて相対的に容易に干渉のコントロールが可能である。したがって、タイプIIリレーにおいては、無線基地局装置ＤｅＮＢとリレーノードＲＮとの間の協調により、さらにユーザスループットを向上させてキャパシティの増大させることが望まれている。
【０００７】
本発明はかかる点に鑑みてなされたものであり、タイプIIリレーにおいて、ユーザスループットを向上させてキャパシティの増大させることができる無線中継局装置、無線基地局装置及び無線通信方法を提供することを目的とする。
【課題を解決するための手段】
【０００８】
本発明の無線中継局装置は、移動端末装置からのサウンディング参照信号を受信する受信器と、前記サウンディング参照信号を用いてリレーリンクのチャネル品質を測定するチャネル品質測定部と、前記リレーリンクのチャネル品質の測定結果を含むフィードバック情報を、バックホールリンクを介して無線基地局装置に送信する送信器と、を具備し、前記無線基地局装置において前記リレーリンクのチャネル品質の測定結果から補正値が減算され、減算の結果及びダイレクトリンクのチャネル品質の測定結果に基づいて割り当てられた無線リソースで、前記移動端末装置と通信することを特徴とする。
【０００９】
本発明の無線基地局装置は、移動端末装置からのサウンディング参照信号を受信すると共に、無線中継局装置からの、リレーリンクのチャネル品質の測定結果を含むフィードバック情報を受信する受信器と、前記サウンディング参照信号を用いてダイレクトリンクのチャネル品質を測定するチャネル品質測定部と、前記測定結果から補正値を減算する減算器と、前記減算の結果及び前記ダイレクトリンクのチャネル品質の測定結果からいずれかの移動端末装置に無線リソースを割り当てる割り当て部と、を具備することを特徴とする。
【００１０】
本発明の無線通信方法は、無線中継局装置において、移動端末装置からのサウンディング参照信号を用いてリレーリンクのチャネル品質を測定する工程と、前記リレーリンクのチャネル品質の測定結果を含むフィードバック情報を、バックホールリンクを介して無線基地局装置に送信する工程と、前記無線基地局装置において、移動端末装置からのサウンディング参照信号を用いてダイレクトリンクのチャネル品質を測定する工程と、前記無線中継局装置からの前記測定結果から補正値を減算する工程と、前記減算の結果及び前記ダイレクトリンクのチャネル品質の測定結果からいずれかの移動端末装置に無線リソースを割り当てる工程と、を具備することを特徴とする。
【発明の効果】
【００１１】
本発明によれば、タイプIIリレーにおいて、無線基地局装置は、無線リソースをより多く使う通信に対して、無線リソースを余分に使用する量に相応する分だけチャネル品質を低く補正した状態で無線リソースを割り当てる。これにより、無線リソースの使用量を考慮した形で無線リソースの割り当てが行われることになり、結果として、効率良く干渉をコントロールして、ユーザスループットを向上させ、キャパシティを増大させることができる。
【図面の簡単な説明】
【００１２】
【図１】上りリンクＣｏＭＰ受信を説明するための図である。
【図２】タイプIIリレーを用いた無線通信システムを説明するための図である。
【図３】本発明の実施の形態に係る無線通信方法を説明するための図である。
【図４】本発明の実施の形態に係る無線通信方法を説明するための図である。
【図５】本発明の実施の形態に係る無線通信方法におけるフィードバック情報を説明するための図である。
【図６】本発明の実施の形態に係る無線通信方法におけるフィードバック情報を説明するための図である。
【図７】本実施の形態に係る無線中継装置の構成を示すブロック図である。
【図８】本実施の形態に係る無線基地局装置の構成を示すブロック図である。
【発明を実施するための形態】
【００１３】
以下、本発明の実施の形態について、添付図面を参照して詳細に説明する。
上述したように、タイプIIリレーにおいて、ユーザスループットを向上させてキャパシティの増大させるためには、無線基地局装置ＤｅＮＢとリレーノードＲＮとの間の協調が重要となる。本発明者らは、無線基地局装置ＤｅＮＢとリレーノードＲＮとの間の協調を考える上で、ＣｏＭＰ（Coordinated  multi-point  transmission  and  reception）に着目した。
【００１４】
図１は、上りリンクＣｏＭＰ受信を説明するための図である。図１においては、リモート基地局（Remote  Radio  Equipment）構成を示している。ＲＲＥ構成では、複数のＲＲＥのベースバンド信号処理及び制御を行う集中ｅＮＢと、各セル、すなわちＲＲＥとの間が光ファイバ（有線バックホールリンク）で接続される。集中ｅＮＢは、集中管理スケジューラを備えており、無線リソース制御を一括して行う。
【００１５】
このような構成において、すべてのＵＥのチャネル状態情報（ＣＳＩ：Channel  State  Information）及びチャネル品質（ＣＱＩ：Channel  Quality  Indicator）が有線バックホールリンクを介して集中ｅＮＢに送信される。集中ｅＮＢでは、これらのＣＳＩやＣＱＩを用いて無線リソース制御を行って、セル端のＵＥ（ＣｏＭＰ  ＵＥ）からの信号の上りＣｏＭＰ受信を実現する。このように、上りＣｏＭＰにおいては、有線バックホールリンクを用いて、種々の情報を送受信しながら集中ｅＮＢとＲＲＥが協調する。
【００１６】
図２は、タイプIIリレーを用いた無線通信システムを説明するための図である。図２に示す無線通信システムでは、無線基地局装置ＤｅＮＢが形成するセル内に、リレーノードＲＮ１及びＲＮ２が設けられる。リレーノードＲＮ１及びＲＮ２は、それぞれ、無線バックホールリンク（破線）を介して、自局に接続する移動端末ＲＵＥ（Relay  UE）（以下、リレー端末ＲＵＥという）のＣＳＩやＣＱＩを無線基地局装置ＤｅＮＢに送信する。リレーノードＲＮ１及びＲＮ２は、無線基地局装置ＤｅＮＢから、リレー端末ＲＵＥに対する信号を受信する。また、リレーノードＲＮ１及びＲＮ２は、それぞれアクセスリンクを介して、リレー端末ＲＵＥに対して信号を送受信する。また、無線基地局装置ＤｅＮＢは、自局に接続する移動端末ＤＵＥ（Donor  User  Equipment）（以下、ドナー端末ＤＵＥ）に対して信号を送受信する。
【００１７】
図２に示す無線通信システムにおいても、無線基地局装置ＤｅＮＢが集中管理スケジューラを備えており、無線基地局装置ＤｅＮＢ並びにリレーノードＲＮ１及びＲＮ２の無線リソース制御を一括して行う。このように、図２に示す無線通信システムにおいても、無線基地局装置ＤｅＮＢとリレーノードＲＮとの間で協調することが可能である。しかしながら、この無線通信システムにおいては、ドナー端末ＤＵＥと無線基地局装置ＤｅＮＢとの間のダイレクトリンクでの送受信と、リレー端末ＲＵＥと無線基地局装置ＤｅＮＢとの間の送受信とでは無線リソースを使う量が異なる。すなわち、リレー端末ＲＵＥと無線基地局装置ＤｅＮＢとの間の送受信では、無線リソースとして、リレー端末ＲＵＥとリレーノードＲＮとの間のリレーリンクと、リレーノードＲＮと無線基地局装置ＤｅＮＢとの間のバックホールリンクとを使うこととなり、ドナー端末ＤＵＥと無線基地局装置ＤｅＮＢとの間のダイレクトリンクのみの無線リソースを使うドナー端末ＤＵＥと無線基地局装置ＤｅＮＢとの間の送受信よりも、より多くの無線リソースを使うことになる。
【００１８】
したがって、効率良く干渉をコントロールすることにより、ユーザスループット向上やキャパシティ増大を実現するためには、リレーリンクを使う通信とダイレクトリンクを使う通信とで、無線リソースの使用量を考慮して、無線基地局装置ＤｅＮＢとリレーノードＲＮとの間の協調を考える必要がある。この点で、無線基地局装置ＤｅＮＢとリレーノードＲＮとの間の協調は、有線バックホールリンクを用いて集中ｅＮＢとＲＲＨが協調する上りＣｏＭＰと異なる。なお、無線リソースとは、無線通信する際の資源をいい、時間、周波数、空間、コードなどを含む。
【００１９】
本発明者らは、この点に着目し、無線リソースをより多く使う通信に対して、無線リソースを余分に使用する量に相応する分だけチャネル品質を低くして、割り当てにくくすることにより、効率良く干渉をコントロールしてユーザスループット向上やキャパシティ増大を実現できることを見出し本発明をするに至った。すなわち、タイプIIリレーにおいて、無線基地局装置ＤｅＮＢは、無線リソースをより多く使う通信に対して、無線リソースを余分に使用する量に相応する分だけチャネル品質を低く補正した状態で無線リソースを割り当てる。これにより、無線リソースの使用量を考慮した形で無線リソースの割り当てが行われることになり、結果として、効率良く干渉をコントロールして、ユーザスループットを向上させ、キャパシティを増大させることができる。
【００２０】
図３は、本発明の実施の形態に係る無線通信方法を説明するための図である。
図３に示す無線通信システムにおいては、無線基地局装置ＤｅＮＢのセル内にリレーノードＲＮが設置されており、３つのユーザ端末ＵＥがセル内に存在している。そして、無線基地局装置ＤｅＮＢが、特定のリソースブロック（ＲＢ）（無線リソース）についていずれかのユーザ端末ＵＥを割り当てる。
【００２１】
まず、各ユーザ端末ＵＥ＃１〜ＵＥ＃３は、無線基地局装置ＤｅＮＢ及びリレーノードＲＮに参照信号（Sounding  Reference  Signal：ＳＲＳ）をそれぞれ送信する。無線基地局装置ＤｅＮＢ及びリレーノードＲＮは、各ユーザ端末ＵＥ＃１〜ＵＥ＃３からのＳＲＳを受信して、ＳＲＳを用いてユーザ端末ＵＥ＃１〜ＵＥ＃３毎のチャネル品質であるＣＱＩを測定する。
【００２２】
無線基地局装置ＤｅＮＢにおいては、受信したＳＲＳを用いて、各ユーザ端末ＵＥ＃１〜ＵＥ＃３についてのダイレクトリンクのＣＱＩ（ＣＱＩＤｅＮＢ１〜ＣＱＩＤｅＮＢ３）を測定して記憶する（図５の下表）。一方、リレーノードＲＮにおいては、各ユーザ端末ＵＥ＃１〜ＵＥ＃３についてのリレーリンクのＣＱＩ（ＣＱＩＲＮ１〜ＣＱＩＲＮ３）を測定する。ここで、無線基地局装置ＤｅＮＢは、リレーリンクのＣＱＩ（ＣＱＩＲＮ１〜ＣＱＩＲＮ３）について知ることができない。このため、リレーノードＲＮは、無線バックホールリンクを介してリレーリンクのＣＱＩ（ＣＱＩＲＮ１〜ＣＱＩＲＮ３）を無線基地局装置ＤｅＮＢに送信する。これにより、無線基地局装置ＤｅＮＢは、リレーリンクのＣＱＩ（ＣＱＩＲＮ１〜ＣＱＩＲＮ３）についても記憶する（図５の上表）。
【００２３】
無線基地局装置ＤｅＮＢにおいては、各ユーザ端末ＵＥ＃１〜ＵＥ＃３のダイレクトリンクのＣＱＩと、各ユーザ端末ＵＥ＃１〜ＵＥ＃３のリレーリンクのＣＱＩとを用いて、いずれかのユーザ端末ＵＥに無線リソース（ＲＢ）を割り当てる。図５に示す表に基づいて、いずれかのユーザ端末ＵＥに無線リソース（ＲＢ）を割り当てるとすると、最もチャネル品質が良いと考えられる（ＣＱＩ値が最も高い：１７）、ユーザ＃３（リレーリンク）に無線リソースが割り当てられることになる。しかしながら、リレーリンクを介するユーザ＃３の通信は、無線リソースをより多く使う通信であるので、無線リソースを余分に使用する量に相応する分だけチャネル品質を低く補正した状態で無線リソースを割り当てる。ここでは、一例として、補正値ＸｄＢ＝３ｄＢ固定として、リレーリンクを介する際のチャネル品質（ＣＱＩ）を補正する（リレーノードＲＮから送られたＣＱＩ値から補正値（オフセット値）を減算する）。
【００２４】
図５の上表に示すように、リレーノードＲＮから送られたＣＱＩ値から補正値を減算することにより、ユーザ端末ＵＥ＃１〜ＵＥ＃３のリレーリンクのＣＱＩ値がそれぞれＵＥ＃１（９→６）、ＵＥ＃２（３→０）、ＵＥ＃３（１７→１４）となる。このように、無線リソースを余分に使用する量を考慮した状態で、いずれかのユーザ端末ＵＥに無線リソース（ＲＢ）を割り当てるとすると、すなわち、ＣＱＩ値を補正した後のテーブルを用いていずれかのユーザ端末ＵＥに無線リソース（ＲＢ）を割り当てるとすると、最もチャネル品質が良いと考えられる（ＣＱＩ値が最も高い：１５）、ユーザ＃２（ダイレクトリンク）に無線リソースが割り当てられることになる。
【００２５】
図５においては、一例としてＸｄＢ＝３ｄＢの場合について示したが、Ｘの値はユーザ毎に異なる値であっても良く、また、チャネル品質（ＣＱＩ）に応じて時間的に異なる値であっても良い。ここで、補正値Ｘの決め方の一例について説明する。ここでは、ＤＦ（Decode  and  Forward）型中継技術である場合について説明する。図４において、ＣＱＩＲＮ１は、ＵＥ＃１からのＳＲＳを用いてリレーノードＲＮで測定したＣＱＩであり、ＣＱＩＤｅＮＢ１は、ＵＥ＃１からのＳＲＳを用いて無線基地局装置ＤｅＮＢで測定したＣＱＩである。また、ＣＱＩＢａｃｋ１は、リレーノードＲＮで測定したＣＱＩＲＮ１を無線バックホールリンクで送信することを示している。
ここで、
ＣＱＩＲＮ１＝ＳＩＮＲ（ＵＥ→ＲＮ）（ｄＢ）
ＣＱＩＢａｃｋ１＝ＳＩＮＲ（ＲＮ→ＤｅＮＢ）（ｄＢ）
とする。
【００２６】
この場合において、補正値Ｘ（ｄＢ）は、アクセスリンクのチャネル品質測定結果、バックホールリンクのチャネル品質測定結果、又はリレータイプのいずれかのパラメータを用いた移動端末装置毎に個別の値であることが好ましい。また、補正値Ｘ（ｄＢ）は、次のようにして決めることができる。なお、この補正値の決定方法は、これに限定されず、無線リソースを余分に使用する量に相応する分の補正値を決定できれば、その他の方法であっても良い。
【００２７】
アクセスリンクでＹＨｚの帯域が割り当てられた場合、Shannon  capacityの理論式より、Ｚ＝Ｙ・ｌｏｇ２（１＋１０^（ＣＱＩＲＮ１／１０）)ビットを送ることができる。同じＺビットをバックホールリンクで送る場合は、Ｙ’＝Ｙ・ｌｏｇ２（１＋１０^（ＣＱＩＲＮ１／１０）)／ｌｏｇ２（１＋１０^（ＣＱＩＢａｃｋ１／１０）)Ｈｚが必要である。つまり、周波数リソースとしては、リレーリンクは合計でＹ＋Ｙ’＝Ｙ・（１＋ｌｏｇ２（１＋１０^（ＣＱＩＲＮ１／１０）)／ｌｏｇ２（１＋１０^（ＣＱＩＢａｃｋ１／１０）)）Ｈｚ使うので、無線バックホールリンクの余分な無線リソースにより、１＋ｌｏｇ２（１＋１０^（ＣＱＩＲＮ１／１０）)／ｌｏｇ２（１＋１０^（ＣＱＩＢａｃｋ１／１０）)倍だけ消費している。これをｄＢに換算すると、下記式１となる。
（式１）
0005462144.tif 000002
【００２８】
このように本発明の無線通信方法においては、リレーノードＲＮとリレー端末ＵＥとの間のアクセスリンクのチャネル品質の情報、及び必要に応じてリレー機能情報（ＡＦやＤＦのようなリレータイプの情報）を無線バックホールリンクで、リレーノードＲＮから無線基地局装置ＤｅＮＢに送信する。そして、無線基地局装置ＤｅＮＢにおいて、無線リソースの使用量を考慮してアクセスリンクのチャネル品質値を補正した後に、いずれかのユーザ端末に無線リソースを割り当てる。この場合においては、リレーリンク及びダイレクトリンクを含めて最も良いチャネル品質のユーザ端末に無線リソースを割り当てる。
【００２９】
このように無線リソースが割り当てられたユーザ端末ＵＥのノード（無線基地局装置ＤｅＮＢ又はリレーノードＲＮ）（図５においては無線基地局装置ＤｅＮＢ）に基づいて、適応変調符号化（ＡＭＣ）用の変調符号化方式（ＭＣＳ）を決定する。この場合、無線リソースの使用量を考慮して無線リソースが適切に割り当てられた状態で変調符号化方式を決定するので、ユーザスループットを効率良く向上させ、キャパシティを効率良く増大させることができる。
【００３０】
また、ユーザ端末がＭＩＭＯ（Multiple-Input  Multiple-Output）のプリコーディング機能を備えている場合には、このように無線リソースが割り当てられたユーザ端末ＵＥのノード（無線基地局装置ＤｅＮＢ又はリレーノードＲＮ）（図５においては無線基地局装置ＤｅＮＢ）に基づいて、プリコーディングビームを選択する。この場合、無線リソースの使用量を考慮して無線リソースが適切に割り当てられた状態でプリコーディングビームを選択するので、ユーザスループットを効率良く向上させ、キャパシティを効率良く増大させることができる。
【００３１】
この場合、各ユーザ端末ＵＥ＃１〜ＵＥ＃３は、無線基地局装置ＤｅＮＢ又はリレーノードＲＮからの下り制御信号に含まれる参照信号を受信する。各ユーザ端末ＵＥ＃１〜ＵＥ＃３は、参照信号を用いてチャネル推定し、チャネル推定結果に基づいてＰＭＩ（Precoding  Matrix  Indicator）をそれぞれ決定する。無線基地局装置ＤｅＮＢにおいては、ダイレクトリンクについてのＰＭＩを決定して記憶する（図６の下表）。無線基地局装置ＤｅＮＢは、リレーリンクのＰＭＩについて知ることができない。このため、リレーノードＲＮは、無線バックホールリンクを介してリレーリンクのＰＭＩを無線基地局装置ＤｅＮＢに送信する。これにより、無線基地局装置ＤｅＮＢは、リレーリンクのＰＭＩについても記憶する（図６の上表）。
【００３２】
このように、無線基地局装置ＤｅＮＢは、リレーリンクのＣＱＩと共にＰＭＩも記憶しているので、上述した方法でいずれかのユーザ端末ＵＥに無線リソースが割り当てられたときには、そのユーザ端末（ダイレクトリンク又はリレーリンク）に対応するＰＭＩを用いてビームフォーミングする。
【００３３】
図７は、本実施の形態に係る無線中継装置（ＤＦ型リレーノード）ＲＮの構成を示すブロック図である。なお、図７は、説明するために簡略化したものであり、上りリンクの受信部及び送信（転送）部のみを記載しているが、無線中継局装置が有する構成は備えているものとする。
【００３４】
図７に示すリレーノードＲＮにおいて、ユーザ端末ＵＥ＃１〜ＵＥ＃３から送出された送信信号は、アンテナ１０１ａ，１０１ｂにより受信され、デュプレクサ（Ｄｕｐｌｅｘｅｒ）１０２ａ，１０２ｂにて送信経路と受信経路とに電気的に分離された後、ＲＦ受信回路１０３ａ，１０３ｂに出力される。そして、ＲＦ受信回路１０３ａ，１０３ｂにて、無線周波数信号からベースバンド信号に変換する周波数変換処理が施された後、ＣＰ除去部１０４ａ，１０４ｂに出力される。なお、アンテナ１０１ａ，１０１ｂ、デュプレクサ１０２ａ，１０２ｂ、ＲＦ受信回路１０３ａ，１０３ｂは、ユーザ端末からのＳＲＳを受信する受信器を構成する。
【００３５】
ＣＰ除去部１０４ａ，１０４ｂでは、周波数変換処理後の信号からＣＰ（Cyclic  Prefix）が除去され、ＣＰ除去後の信号が高速フーリエ変換部（ＦＦＴ部）１０５ａ，１０５ｂに出力される。ＦＦＴ部１０５ａ，１０５ｂでは、ＣＰ除去後の信号がフーリエ変換され、時系列の信号から周波数領域の信号に変換される。変換後の信号は、ＩＤＦＴ部１０６ａ，１０６ｂに出力される。逆離散フーリエ変換部（ＩＤＦＴ部）１０６ａ，１０６ｂでは、周波数領域の信号に変換された信号が逆離散フーリエ変換され、周波数領域の信号から時系列の信号に変換される。変換後の信号は、チャネル推定部１０８ａ，１０８ｂ及びデータチャネル信号復調部１０７ａ，１０７ｂに出力される。
【００３６】
チャネル推定部１０８ａ，１０８ｂは、ＩＤＦＴ部１０６ａ，１０６ｂから出力された受信信号に含まれる復調用参照信号（Demodulation  Reference  Signal：ＤＭ−ＲＳ）及びＳＲＳからそれぞれチャネル状態を推定し、ＤＭ−ＲＳで推定したチャネル状態をデータチャネル信号復調部１０７ａ，１０７ｂに通知する。データチャネル信号復調部１０７ａ，１０７ｂにおいては、通知されたチャネル状態に基づいて、データチャネル信号を復調する。復調されたデータチャネル信号は、チャネル復号部１０９ａ，１０９ｂにおいて、チャネル復号されてユーザ信号に再生される。再生されたユーザ信号は、バッファ部１１０に出力され、無線基地局装置ＤｅＮＢからの転送のリクエストがあるまでバッファ部１１０で蓄積される。
【００３７】
ＣＱＩ測定部１１１ａ，１１１ｂは、チャネル推定部１０８ａ，１０８ｂユーザ端末からのＳＲＳを用いて推定したチャネル状態を用いてチャネル品質（ＣＱＩ）を測定する。ＣＱＩ測定部１１１ａ，１１１ｂは、セル内の各ユーザ端末（図３におけるＵＥ＃１〜ＵＥ＃３）からのＳＲＳを用いてＣＱＩ（ＣＱＩＲＮ１〜ＣＱＩＲＮ３）を測定する。ＣＱＩ測定部１１１ａ，１１１ｂは、これらのＣＱＩの測定結果（ＣＱＩ情報）をフィードバック情報信号生成部１１２に出力する。
【００３８】
プリコーディングウエイト生成部１１５は、無線基地局装置ＤｅＮＢから通知される下り制御情報に含まれるリレーノード送信時のＰＭＩ情報を用いてプリコーディングウエイトを生成する。プリコーディングウエイト生成部１１５は、生成したプリコーディングウエイトをプリコーディング部１１６に出力する。
【００３９】
プリコーディング部１１６は、ＰＭＩ情報に対応するプリコーディングウエイトに基づいて、アンテナ１０１ａ，１０１ｂ毎に送信データを位相シフト及び／又は振幅シフトする。プリコーディング部１１６により位相シフト及び／又は振幅シフトされた送信データは、多重部１１７に出力される。プリコーディング部１１６では、プリコーディング前に送信データにバックホールリンク参照信号が多重される。このバックホールリンク参照信号は、無線基地局装置ＤｅＮＢで復調するために用いられる参照信号であり、ＤＭ−ＲＳ（Demodulation  Reference  Signal）と同様である。
【００４０】
ここで、送信データは、バッファ部１１０に蓄積されたユーザ信号（転送データ）である。転送データは、チャネル符号化部１１３ａ，１１３ｂによりチャネル符号化された後に、データ変調部１１４ａ，１１４ｂに出力される。データ変調部１１４ａ，１１４ｂでは、チャネル符号化後の転送データがデータ変調される。データ変調部１１４ａ，１１４ｂは、データ変調後の転送データをプリコーディング部１１６に出力する。
【００４１】
フィードバック情報信号生成部１１２は、各ユーザ端末ＵＥ（図３におけるＵＥ＃１〜ＵＥ＃３）のＣＱＩ（ＣＱＩＲＮ１〜ＣＱＩＲＮ３）と、必要に応じて、各ユーザ端末ＵＥ（図３におけるＵＥ＃１〜ＵＥ＃３）との間のリレーリンクのＰＭＩや、リレータイプの情報（ＡＦやＤＦを識別する情報）などをフィードバック情報として、フィードバック情報信号を生成する。フィードバック制御信号生成部１１２は、生成したフィードバック情報信号を多重部１１７に出力する。なお、フィードバック情報信号にリレータイプの情報を含めることにより、ＤｅＮＢで補正すべきチャネル品質（ＣＱＩ）の補正値が異なるため、リレータイプの情報をフィードバックすることにより、適切な補正値をＤｅＮＢにおいて計算することができる。
【００４２】
多重部１１７は、位相シフト及び／又は振幅シフトされた転送データと、フィードバック情報信号生成部１１２により生成されたフィードバック情報信号、及び、バックホールリンクのチャネル品質（ＣＱＩ）測定用のサウンディング参照信号（ＳＲＳ）とを合成し、アンテナ１０１ａ，１０１ｂ毎の送信信号を生成する。
【００４３】
多重部１１７で合成された送信信号は、離散フーリエ変換部（ＤＦＴ部）１１８ａ，１１８ｂで離散フーリエ変換して時系列の信号から周波数領域の信号に変換され、変換後の信号が逆高速フーリエ変換部（ＩＦＦＴ部）１１９ａ，１１９ｂに出力される。ＩＦＦＴ部１１９ａ，１１９ｂにおいては、ＤＦＴ後の信号が逆高速フーリエ変換され、周波数領域の信号から時間領域の信号に変換される。変換後の信号は、ＣＰ付加部１２０ａ，１２０ｂに出力される。ＣＰ付加部１２０ａ，１２０ｂにおいては、変換後の信号にＣＰが付加される。ＣＰ付加後の信号は、ＲＦ送信回路１２１ａ，１２１ｂに出力される。
【００４４】
ＲＦ送信回路１２１ａ，１２１ｂにおいて、ＣＰ付加後の信号は、無線周波数帯に変換する周波数変換処理される。その後、周波数変換処理された信号は、デュプレクサ１０２ａ，１０２ｂを介してアンテナ１０１ａ，１０１ｂに出力され、アンテナ１０１ａ，１０１ｂから上りリンクで無線基地局装置ＤｅＮＢに送出される。なお、これらのＲＦ送信回路１２１ａ，１２１ｂ、デュプレクサ１０２ａ，１０２ｂ及びアンテナ１０１ａ，１０１ｂは、リレーリンクのチャネル品質の測定結果を含むフィードバック情報信号を無線基地局装置ＤｅＮＢに送信する送信器を構成する。
【００４５】
このように本実施の形態に係る無線中継局装置ＲＮにおいては、ＣＱＩ測定部１１１ａ，１１１ｂで、各ユーザ端末からのＳＲＳを用いてリレーリンクのチャネル品質（ＣＱＩ）を測定する。このＣＱＩ情報（ＣＱＩ測定結果）は、フィードバック情報信号生成部１１２に出力され、フィードバック情報信号生成部１１２において、フィードバック情報信号に含まれることになる。その後、フィードバック情報信号は、バックホールリンクを介して無線基地局装置ＤｅＮＢに送信される。このフィードバック情報信号には、各ユーザ端末との間のリレーリンクのＰＭＩやリレータイプの情報が含まれていても良い。
【００４６】
図８は、本実施の形態に係る無線基地局装置ＤｅＮＢの構成を示すブロック図である。なお、図８は、説明するために簡略化したものであり、無線基地局装置が有する構成は備えているものとする。
【００４７】
図８に示す無線基地局装置ＤｅＮＢにおいて、ユーザ端末ＵＥ＃１〜ＵＥ＃３から送出された送信信号及びバックホールリンクを介してリレーノードＲＮから送出された送信信号は、アンテナ２０１ａ，２０１ｂにより受信され、デュプレクサ２０２ａ，２０２ｂにて送信経路と受信経路とに電気的に分離された後、ＲＦ受信回路２０３ａ，２０３ｂに出力される。そして、ＲＦ受信回路２０３ａ，２０３ｂにて、無線周波数信号からベースバンド信号に変換する周波数変換処理が施された後、ＣＰ除去部２０４ａ，２０４ｂに出力される。なお、アンテナ２０１ａ，２０１ｂ、デュプレクサ２０２ａ，２０２ｂ、ＲＦ受信回路２０３ａ，２０３ｂは、ユーザ端末からのＳＲＳを受信すると共に、リレーノードＲＮからの、リレーリンクのチャネル品質の測定結果を含むフィードバック情報を受信する受信器を構成する。
【００４８】
ＣＰ除去部２０４ａ，２０４ｂでは、周波数変換処理後の信号からＣＰが除去され、ＣＰ除去後の信号がＦＦＴ部２０５ａ，２０５ｂに出力される。ＦＦＴ部２０５ａ，２０５ｂでは、ＣＰ除去後の信号がフーリエ変換され、時系列の信号から周波数領域の信号に変換される。変換後の信号は、ＩＤＦＴ部２０６ａ，２０６ｂに出力される。ＩＤＦＴ部２０６ａ，２０６ｂでは、周波数領域の信号に変換された信号が逆離散フーリエ変換され、周波数領域の信号から時系列の信号に変換される。変換後の信号は、ＣＱＩ測定・チャネル推定部２０８ａ，２０８ｂ及びデータチャネル信号復調部２０７ａ，２０７ｂに出力される。
【００４９】
ＣＱＩ測定・チャネル推定部２０８ａ，２０８ｂは、ＩＤＦＴ部２０６ａ，２０６ｂから出力された受信信号に含まれる復調用参照信号（ＤＭ−ＲＳ）及びチャネル品質測定用の参照信号（ＳＲＳ）からチャネル状態を推定し、このうちＤＭ−ＲＳにて推定したチャネル状態をデータチャネル信号復調部２０７ａ，２０７ｂに通知する。データチャネル信号復調部２０７ａ，２０７ｂにおいては、通知されたチャネル状態に基づいて、データチャネル信号を復調する。復調されたデータチャネル信号は、チャネル復号部２０９ａ，２０９ｂにおいて、チャネル復号されてユーザ信号に再生される。
【００５０】
ＣＱＩ測定・チャネル推定部２０８ａ，２０８ｂは、ユーザ端末からのＳＲＳを用いて推定したチャネル状態を用いてチャネル品質（ＣＱＩ）を測定する。すなわち、ＣＱＩ測定・チャネル推定部２０８ａ，２０８ｂにおいては、セル内の各ユーザ端末（図３におけるＵＥ＃１〜ＵＥ＃３）からのＳＲＳを用いてＣＱＩ（ＣＱＩＤｅＮＢ１〜ＣＱＩＤｅＮＢ３）を測定する。これらのＣＱＩの測定結果は、ダイレクトリンクＣＱＩ情報として、無線リソースの割り当ての際に用いられる。なお、ＣＱＩ測定・チャネル推定部２０８ａ，２０８ｂは、同様にしてバックホールリンクのＣＱＩも測定する。
【００５１】
ＣＱＩ測定・チャネル推定部２０８ａ，２０８ｂは、推定したチャネル状態をフィードバック情報信号復調部２１０ａ，２１０ｂ及びＲＮフィードバック情報信号復調部２１２にも通知する。フィードバック情報信号復調部２１０ａ，２１０ｂにおいては、通知されたチャネル状態に基づいて、各ユーザ端末からのフィードバック情報信号（各ユーザ端末のダイレクトリンクのＰＭＩ情報、ランク情報など）を復調する。フィードバック情報信号復調部２１０ａ，２１０ｂは、復調したフィードバック情報信号をＰＭＩ情報抽出部２１４ａ，２１４ｂに出力する。
【００５２】
ＲＮフィードバック情報信号復調部２１２は、通知されたチャネル状態に基づいて、バックホールリンクを介してリレーノードＲＮから送信されたフィードバック情報信号（リレーノードＲＮで測定したＣＱＩやＰＭＩ、リレータイプの情報）を復調する。復調したＲＮフィードバック情報信号は、リレーリンクＣＱＩ情報として、無線リソースの割り当ての際に用いられる。なお、ＲＮフィードバック情報信号については、図５や図６に示すように、ダイレクトリンク／リレーリンクの別、ユーザ端末と関連づけて管理されていても良い。
【００５３】
ＰＭＩ情報抽出部２１４ａ，２１４ｂは、復調したフィードバック情報信号からＰＭＩ情報を抽出し、抽出したＰＭＩ情報をプリコーディングウエイト生成部２１５に出力する。プリコーディングウエイト生成部２１５は、フィードバック情報信号から抽出されたＰＭＩ情報を用いてプリコーディングウエイトを生成する。プリコーディングウエイト生成部２１５は、生成したプリコーディングウエイトをプリコーディング部２２０ａ，２２０ｂに出力する。
【００５４】
プリコーディング部２２０ａ，２２０ｂは、ＰＭＩ情報に対応するプリコーディングウエイトに基づいて、アンテナ２０１ａ，２０１ｂ毎に送信データを位相シフト及び／又は振幅シフトする。プリコーディング部２２０ａ，２２０ｂにより位相シフト及び／又は振幅シフトされた送信データは、多重部２２１に出力される。プリコーディング部２２０ａ，２２０ｂでは、プリコーディング前に送信データに個別参照信号が多重される。この個別参照信号は、ユーザ端末ＵＥで復調するために用いられるＤＭ−ＲＳである。
【００５５】
ここで、送信データは、各ユーザ端末宛ての信号である。送信データは、チャネル符号化部２１８ａ，２１８ｂによりチャネル符号化された後に、データ変調部２１９ａ，２１９ｂに出力される。データ変調部２１９ａ，２１９ｂでは、チャネル符号化後の転送データがデータ変調される。データ変調部２１９ａ，２１９ｂは、データ変調後の転送データをプリコーディング部２２０ａ，２２０ｂに出力する。
【００５６】
ＲＮフィードバック情報信号に含まれるＣＱＩ情報（リレーリンクＣＱＩ情報）については、補正処理が施される。すなわち、減算器２１１で、リレーリンクＣＱＩ情報から所定の補正値（Ｘ）が減算される。具体的には、図５の上表に示すように、リレーリンクＣＱＩの測定結果が補正される。
【００５７】
スケジューラ２１３は、上記減算の結果及びダイレクトリンクのＣＱＩ情報からいずれかのユーザ端末に無線リソースを割り当てる。例えば、スケジューラは、減算の結果及びダイレクトリンクのＣＱＩ情報のうち最もチャネル品質の高いユーザ端末に無線リソースを割り当てる。具体的には、図５の上表で補正されたＣＱＩ値と、下表のＣＱＩ値とから最もチャネル品質の高いユーザ端末（ＵＥ＃２（ダイレクトリンク）を選択し、このユーザ端末に無線リソースを割り当てる。なお、割り当てる無線リソースについては、１リソースブロックであっても良く、それ以外の単位の無線リソースであっても良い。
【００５８】
補正値は、例えば、下記式（１）により求められる。
式（１）
0005462144.tif 000003
ＣＱＩＲＮ１は、移動端末装置−リレーノード間のＳＩＮＲ（ｄＢ）であり、ＣＱＩＢａｃｋ１は、リレーノード−無線基地局装置間のＳＩＮＲ（ｄＢ）である。
なお、この補正値の求め方はこれに限定されず、リレーリンクが余計に使用する無線リソースを考慮して補正値を求める方法であれば特に制限はない。
【００５９】
ユーザ制御信号生成部２１６ａ，２１６ｂは、各ユーザ端末用のＰＤＣＣＨ（Physical  Downlink  Control  Channel）信号を生成する。ここで、ＰＤＣＣＨ信号には、例えば、リソース割り当て情報、ＭＣＳ情報、再送関連の情報（ＲＶ（Redundancy  version）、ＮＤＩ（New  Data  Indicator)）、送信電力制御の情報、プリコーディング情報（ＰＭＩ情報）、ランク情報（ＲＩ）などが含まれる。ユーザ制御信号生成部２１６ａ，２１６ｂは、生成したＰＤＣＣＨ信号を多重部２２１に出力する。
【００６０】
ＲＮ制御信号生成部２１７は、リレーノード用のＰＤＣＣＨ信号を生成する。ここで、ＰＤＣＣＨ信号には、例えば、リソース割り当て情報、ＭＣＳ情報、再送関連の情報（ＲＶ（Redundancy  version）、ＮＤＩ（New  Data  Indicator)）、送信電力制御の情報、プリコーディング情報（ＰＭＩ情報）、ランク情報（ＲＩ）などが含まれる。ＲＮ制御信号生成部２１７は、生成したＰＤＣＣＨ信号を多重部２２１に出力する。
【００６１】
スケジューラ２１３において、無線リソースが割り当てられたユーザ端末（リンクの別）が決定されると、そのユーザ端末に応じてＭＣＳを決定する。この決定されたＭＣＳは、リレーノードＲＮ又はユーザ端末ＵＥにＰＤＣＣＨで送信される。例えば、無線リソースが割り当てられたユーザ端末がダイレクトリンクのユーザ端末であれば、そのユーザ端末に適切なＭＣＳの情報をユーザ用のＰＤＣＣＨ信号としてユーザ端末ＵＥに送信する。一方、無線リソースが割り当てられたユーザ端末がリレーリンクのユーザ端末であれば、そのユーザ端末に適切なＭＣＳの情報をＲＮ用のＰＤＣＣＨ信号としてリレーノードＲＮに送信する。
【００６２】
また、ユーザ端末がＭＩＭＯのプリコーディング機能を備えている場合においては、スケジューラ２１３で、無線リソースが割り当てられたユーザ端末（リンクの別）が決定されると、そのユーザ端末に応じてＰＭＩを決定する。この決定されたＰＭＩは、リレーノードＲＮ又はユーザ端末ＵＥにＰＤＣＣＨで送信される。例えば、無線リソースが割り当てられたユーザ端末がダイレクトリンクのユーザ端末であれば、そのユーザ端末に適切なＰＭＩの情報をユーザ用のＰＤＣＣＨ信号としてユーザ端末ＵＥに送信する。一方、無線リソースが割り当てられたユーザ端末がリレーリンクのユーザ端末であれば、そのユーザ端末に適切なＰＭＩの情報をＲＮ用のＰＤＣＣＨ信号としてリレーノードＲＮに送信する。
【００６３】
多重部２２１は、位相シフト及び／又は振幅シフトされた送信データと、ＲＮ制御信号生成部２１７により生成されたＲＮ制御信号と、ユーザ制御信号生成部２１６ａ，２１６ｂにより生成されたユーザ制御信号、及びユーザ端末ＵＥにおいて下りリンクのチャネル品質を測定するためのチャネル品質測定用参照信号（Channel  State  Information-Reference  Signal：ＣＳＩ−ＲＳ）とを合成し、アンテナ２０１ａ，２０１ｂ毎の送信信号を生成する。
【００６４】
多重部２２１で合成された送信信号は、ＩＦＦＴ部２２２ａ，２２２ｂに出力される。ＩＦＦＴ部２２２ａ，２２２ｂにおいては、送信信号が逆高速フーリエ変換され、周波数領域の信号から時間領域の信号に変換される。変換後の信号は、ＣＰ付加部２２３ａ，２２３ｂに出力される。ＣＰ付加部２２３ａ，２２３ｂにおいては、変換後の信号にＣＰが付加される。ＣＰ付加後の信号は、ＲＦ送信回路２２４ａ，２２４ｂに出力される。
【００６５】
ＲＦ送信回路２２４ａ，２２４ｂにおいて、ＣＰ付加後の信号は、無線周波数帯に変換する周波数変換処理される。その後、周波数変換処理された信号は、デュプレクサ２０２ａ，２０２ｂを介してアンテナ２０１ａ，２０１ｂに出力され、アンテナ２０１ａ，２０１ｂから下りリンクでリレーノードＲＮ又はユーザ端末ＵＥに送出される。なお、これらのＲＦ送信回路２２４ａ，２２４ｂ、デュプレクサ２０２ａ，２０２ｂ及びアンテナ２０１ａ，２０１ｂは、リレーノードＲＮ又はユーザ端末ＵＥに信号を送信する送信器を構成する。
【００６６】
このように本実施の形態に係る無線基地局装置ＤｅＮＢにおいては、ＣＱＩ測定・チャネル推定部２０８ａ，２０８ｂで、各ユーザ端末からのＳＲＳを用いてダイレクトリンクのチャネル品質（ＣＱＩ）を測定する。減算器２１１で、リレーノードＲＮからのフィードバック情報に含まれるリレーリンクのチャネル品質（ＣＱＩ）から補正値を減算する。スケジューラ２１３において、減算結果（補正後のリレーリンクのＣＱＩ）及びダイレクトリンクのＣＱＩからいずれかのユーザ端末に無線リソースを割り当てる。
【００６７】
以上、上述の実施形態を用いて本発明について詳細に説明したが、当業者にとっては、本発明が本明細書中に説明した実施形態に限定されるものではないということは明らかである。例えば、上述の実施形態において、ユーザ数や装置における処理部数については、これに限定されず、装置構成に応じて適宜変更することが可能である。また、本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６８】
１０１ａ，１０１ｂ，２０１ａ，２０１ｂ  アンテナ
１０２ａ，１０２ｂ，２０２ａ，２０２ｂ  デュプレクサ
１０３ａ，１０３ｂ，２０３ａ，２０３ｂ  ＲＦ受信回路
１０４ａ，１０４ｂ，２０４ａ，２０４ｂ  ＣＰ除去部
１０５ａ，１０５ｂ，２０５ａ，２０５ｂ  ＦＦＴ部
１０６ａ，１０６ｂ，２０６ａ，２０６ｂ  ＩＤＦＴ部
１０７ａ，１０７ｂ，２０７ａ，２０７ｂ  データチャネル信号復調部
１０８ａ，１０８ｂ  チャネル推定部
１０９ａ，１０９ｂ，２０９ａ，２０９ｂ  チャネル復号部
１１０  バッファ部
１１１ａ，１１１ｂ  ＣＱＩ測定部
１１２  フィードバック情報信号生成部
１１３ａ，１１３ｂ，２１８ａ，２１８ｂ  チャネル符号化部
１１４ａ，１１４ｂ，２１９ａ，２１９ｂ  データ変調部
１１５，２１５  プリコーディングウエイト生成部
１１６，２２０ａ，２２０ｂ  プリコーディング部
１１７，２２１  多重部
１１８ａ，１１８ｂ  ＤＦＴ部
１１９ａ，１１９ｂ，２２２ａ，２２２ｂ  ＩＦＦＴ部
１２０ａ，１２０ｂ，２２３ａ，２２３ｂ  ＣＰ付加部
１２１ａ，１２１ｂ，２２４ａ，２２４ｂ  ＲＦ送信回路
２０８ａ，２０８ｂ  ＣＱＩ測定・チャネル推定部
２１０ａ，２１０ｂ  フィードバック情報信号復調部
２１１  減算器
２１２  ＲＮフィードバック情報信号復調部
２１４ａ，２１４ｂ  ＰＭＩ情報抽出部
２１６ａ，２１６ｂ  ユーザ制御信号生成部
２１７  ＲＮ制御信号生成部
【図１】
0005462144.tif 000006
【図２】
0005462144.tif 000007
【図３】
0005462144.tif 000008
【図４】
0005462144.tif 000009
【図５】
0005462144.tif 000010
【図６】
0005462144.tif 000011
【図７】
0005462144.tif 000012
【図８】
0005462144.tif 000013